(57)【要約】【課題】光源からの光によるまぶしさを抑制し、比較的やわらかな照射を得ることができるダウンライトして用いられる照明装置を提供することと、死角なく周囲を監視することができるにもかかわらず、分かりにくく設置することもできる監視カメラを提供する。【解決手段】基板１と、基板２に搭載された複数のＬＥＤ素子３と、複数の近赤外ＬＥＤ素子３ａを照射させる電力を供給する電源装置５と、複数のＬＥＤ素子３，３ａの主出射方向においてＬＥＤ素子３，３ａに対向して配置された拡散剤を分散させた拡散透過板４とからなる照明装置１ａと、全周３６０度が撮影可能の魚眼レンズを搭載監視カメラ６とを備え、監視カメラ６を拡散透過板４と面一に設けたことを特徴とする。【選択図】図１
2015060832.tif 000002
【特許請求の範囲】
【請求項１】
基板と、該基板に搭載された複数のＬＥＤ素子と、該ＬＥＤ素子を照射させる電力を供給する電源装置と、複数の前記ＬＥＤ素子の主出射方向において前記ＬＥＤ素子に対向して配置された拡散剤を分散させた拡散透過板とからなる照明装置と、監視カメラと、を備えた監視カメラ付き照明装置であって、前記監視カメラは全周３６０度撮影可能の魚眼レンズを搭載し、かつ、前記拡散透過板と面一に設けたことを特徴とする監視カメラ付き照明装置。
【請求項２】
前記拡散透過板は、ポリカーボネート樹脂から半透明に形成され、前記ＬＥＤ素子の出射光を透過時に拡散放射すること特徴とする請求項１に記載の監視カメラ付き照明装置。
【請求項３】
前記基板に複数の近赤外ＬＥＤ素子を搭載し、前記ＬＥＤ素子の発熱を放射する放熱フィンを設けたこと特徴とする請求項１又は請求項２に記載の監視カメラ付き照明装置。
【発明の詳細な説明】
【技術分野】
【０００１】  本発明は、天井に設置されダウンライトとして用いられる照明装置に関し、より詳細には、ダウンライトとして用いられると共に、防犯と事件が発生した場合には早期解決に役立てるための防犯カメラとして用いることができる監視カメラ付き照明装置に関する。
【背景技術】
【０００２】  ダウンライトは、一般に、屋内の天井などに埋め込まれて設置され、直接照明あるいは間接照明に用いられる照明装置である。ダウンライトは、たとえば白熱電球を点灯させるための電源回路などが内蔵された本体と、白熱電球を囲むように配置された、たとえばコーン状の拡散層とを備えている。そして、ダウンライトは、拡散層の下部開口が天井などと面一になるように、本体および拡散層が天井内に埋め込まれて設置される。【０００３】  監視カメラは、照明装置とは別の位置に設置して、そのことが明らかに分かるようにして、犯罪の発生を未然に防止するようにしていることがある。一方、個人情報の保護の要望を考慮して、設置していることが分からないようにすることが望ましい場合がある。しかし、犯罪者の多国籍化や、犯罪の複雑化・衝動化が進んでいる今日、犯人の早期の検挙には、事件の緊急な把握と犯人の特定と追跡が必要である。そのためには、監視カメラの多数の設置が望ましい。【０００４】  従来、ダウンライトに監視カメラを付けることは、少なかった。その理由の１つとして、広角を監視するには監視カメラが大きくなり、必然的に照明装置が大きくなり、実用的でなかったからであった。なお、被写体を照明するための照明付きの監視カメラは、知られている（特許文献１）。【０００５】  特許文献１を含めた従来型の監視カメラは、監視カメラ直下（照射方向）の照射領域のみが過度に明るくなりすぎ、監視カメラ監視領域全域を均一に特に全周３６０度を照射することができない。そのために多数の照明装置が必要であり、設備費もランニングコストも高額になった。また、従来の監視カメラで、全周を死角なく監視するには、構造が複雑になり、大型化した。【０００６】  また、監視カメラを分からないように設置するためには、設置位置の選定が隅の方に限られ、死角ができやすく、設置位置の決定が複雑になると共に、設置数も多数になり、設置に費用と手間がかかった。
【先行技術文献】
【特許文献】
【０００７】
【特許文献１】  特開平０７−１４７６４７号公報
【発明の概要】
【発明が解決しようとする課題】
【０００８】  本発明は、前記した事情のもとで考え出されたものであって、光源からの光によるまぶしさを抑制し、比較的やわらかな照射を得ることができるダウンライトとして用いられる照明装置を提供することと、死角なく周囲を監視することができるにもかかわらず、その存在を分かりにくく設置することができる監視カメラを提供することをその目的とする。
【課題を解決するための手段】
【０００９】  前記目的を達成するための請求項１に記載の監視カメラ付き照明装置は、
基板と、該基板に搭載された複数のＬＥＤ素子と、該ＬＥＤ素子を照射させる電力を供給する電源装置と、複数の前記ＬＥＤ素子の主出射方向において前記ＬＥＤ素子に対向して配置された拡散剤を分散させた拡散透過板とからなる照明装置と、監視カメラと、を備えた監視カメラ付き照明装置であって、前記監視カメラは全周３６０度撮影可能の魚眼レンズを搭載し、かつ、前記拡散透過板と面一に設けたことを特徴とする。【００１０】  請求項１に記載の監視カメラ付き照明装置は、複数の前記ＬＥＤ素子の主出射方向において前記ＬＥＤ素子に対向して配置された拡散透過板を備え、全周３６０度撮影可能の魚眼レンズを搭載した監視カメラを備える。これにより、照明装置を複雑にすることがない。そして、光源からの光によるまぶしさを抑制し、比較的やわらかな照射を得ることができる。監視カメラも少ない設置数で、死角なく周囲を監視することができる。しかも、設置していることを分かりにくくすることもできる。【００１１】  請求項２に記載の発明は、請求項１に記載の監視カメラ付き照明装置において、
前記拡散透過板は、ポリカーボネート樹脂から半透明に形成され、前記ＬＥＤ素子の出射光を透過時に拡散放射することを特徴とする。【００１２】  請求項２に記載の監視カメラ付き照明装置の前記拡散透過板は、ポリカーボネート樹脂から半透明に形成されているので、前記ＬＥＤ素子の出射光の照射領域を広くし、局部的に過度に明るくなりすぎるのを防ぎ、やわらかな照射を得ることができる。【００１３】  請求項３に記載の発明は、請求項１又は２に記載の監視カメラ付き照明装置において、
前記基板に複数の白色光ＬＥＤ素子と複数の近赤外ＬＥＤ素子とを搭載し、前記ＬＥＤ素子の発熱を放射する放熱フィンを設けたことを特徴とする。【００１４】  請求項３に記載の発明は、複数の白色または昼色用のＬＥＤ素子と複数の近赤外ＬＥＤ素子とを備えているので、照明を消灯した後でも監視カメラとして、鮮明な画像を得ることができる。さらに、前記ＬＥＤ素子の発熱を放射し、高温になることを防ぎ、ＬＥＤ素子の長寿命化と照明の安定化を図った。
【発明の効果】
【００１５】  請求項１に記載の発明においては、複数のＬＥＤ素子からそれらの主出射方向に発せられた光は、拡散透過板を透過して拡散され、下方に進行する。そのため、拡散透過板で拡散した光は、光源からの光によるまぶしさを抑制することができ、比較的やわらかな光を得ることができる。また、全周３６０度撮影可能の魚眼レンズを搭載した監視カメラを備えることにより、１台で広い範囲の映像を撮影することができる。３６０度カメラは、レンズの前面すべてが視野になるので、拡散透過板の下方からレンズしか出さなくても良くなり、カメラの存在が目立たなくなる。【００１６】  請求項２に記載の発明においては、複数のＬＥＤ素子からそれらの主出射方向に発せられた光は、拡散透過板を透過して拡散されて照射する。そのため、請求項１の効果に加え、より所要の性質の拡散光を得ることができる。また、３６０度カメラの搭載により１台で広い範囲の映像を撮影することができるため、公共施設の照明装置として最適である。【００１７】  請求項３に記載の発明は、複数の近赤外ＬＥＤ素子を備えており、暗闇状態でも対象物の陰影を浮き出させる効果があるため、照明を消灯した後でも監視カメラとして、鮮明な画像を得ることができる。【００１８】  本件発明の照明装置に警報装置を接続することで、防犯装置として使用することができる。【００１９】  比較的光源を小さくできるＬＥＤ照明に３６０°撮影可能な監視カメラを内蔵することで、さらに、映像を平面展開してその信号をＷｉーＨｉ送信するソフトを持った通信機能が搭載するなどしても、電源装置の構成を簡単にし、重量を軽減することで、コストの低減と小型化が図れる。【００２０】  全周３６０°撮影可能な監視カメラを内蔵することで、カメラの固定方向を選ばなくて良いので、取り付の作業が簡単である。
【図面の簡単な説明】
【００２１】
【図１】本発明の監視カメラ付き照明装置を示す要部断面図である。
【図２】その一部を破断した下面図である。
【発明を実施するための形態】
【００２２】  以下、実施の形態に基づき、本発明を図面を参照しつつ説明する。
図１は監視カメラ付き照明装置を示す要部断面図、図２はその一部を破断した下面図である。
【００２３】  この実施形態による監視カメラ付き照明装置１は、基板２と、この基板２に搭載された複数のＬＥＤ素子３と複数の近赤外ＬＥＤ素子３ａを備える。さらに、複数のＬＥＤ素子３，３ａの主出射方向においてＬＥＤ素子３，３ａに対向して配置された透過拡散板４と、ＬＥＤ素子３、３ａを放射させる電力を供給する電源装置５と、監視カメラ６とを備える監視カメラ６は全周３６０度撮影可能の魚眼レンズを搭載し、このレンズ部は透過拡散板４とほぼ面一に設けて、全周３６０°で、照明の照射方向の１８０°が視界となるようにしている。また、透過拡散板４を支持する筺体７、基板２を取り付ける支持部材８と、支持部材８に密着した放熱部材９を備える。
【００２４】  基板２は、ＬＥＤ実装基板であって、白色光用の複数のＬＥＤ素子３（この実施の形態では１５個）、近赤外ＬＥＤ素子３ａ（この実施の形態では８個）を実装することにより、支持、搭載している。基板２は、たとえば、アルミ板からなり、四辺形形状に形成されている。基板２の実装面には、複数のＬＥＤ素子３、近赤外ＬＥＤ素子３ａ（以下、特に区別する必要のない限り、単にＬＥＤ素子３とする）に電力を供給するために、たとえばＣｕからなる配線パターンが形成されている。すなわち、基板２は、ＬＥＤ素子３が実装される実装面上において互いに離間する金属配線層を備えている。
【００２５】  ＬＥＤ素子３は、白色光を得るため、たとえばｎ型半導体およびｐ型半導体と、これらに挟まれた活性層とが積層した構造とされている。ＬＥＤ素子３の半導体の成分は特に限定されない。たとえばＧａＮ系半導体からなる場合、青色光を発する構成とし、透過拡散板５において黄色蛍光体の拡散剤を分散させて、白色光を得ることができる。
【００２６】  ＬＥＤ素子３は、２つの電極を備えており、それぞれＬＥＤ素子３の下面および上面に形成されている。ＬＥＤ素子３が基板２の金属配線層の表面に直接的に搭載されることにより、ＬＥＤ素子３の下面の電極は、金属配線層と導通する。一方、ＬＥＤ素子３の上面の電極は、ワイヤを介して基板の金属配線層に接合されて導通している。
【００２７】  透過拡散板４は、ＬＥＤ素子３から発せられ、透過拡散板４の内部を透過してきた光を外部に向けて拡散させるためのものであり、ＬＥＤ素子３に対向して設けられている。透過拡散板４は、たとえばポリカーボネート樹脂、アクリル樹脂等の樹脂からなり、蛍光剤が分散されて半透明に形成されている。ＬＥＤ素子３から出射された光は透過拡散板４で分散され、昼色光や白色光に形成されると共に、ＬＥＤ素子３から出射された光は直接目に入らないようにされている。また、近赤外ＬＥＤ素子３ａから出射された光は透過拡散板４を透過し、近赤外光を照射する。
【００２８】  電源装置５は、図示しないが、電源基板にＡＣ／ＤＣコンバータ、コンデンサ、抵抗器などを搭載している。そして、商用電源から供給される交流を所要の電圧の直流に変換して電源ケーブル１１によりＬＥＤ素子３に供給している。さらに、電源装置５には、この実施の形態では、図示しないが、後述する監視カメラ６に所要の電力を供給するカメラ部電源回路が搭載されている。また、警報回路などを搭載し、消灯時には警報装置とすることが、多用度装置とすることで、好ましい。
【００２９】  監視カメラ６は、ＣＣＤやＣＭＯＳに代表される撮像素子を搭載している。監視カメラ６は、魚眼レンズを搭載して全周囲３６０°が撮影可能となっている。さらに、映像を平面展開してその信号をＷｉーＨｉ送信するソフトを持った通信機能が搭載されている。
【００３０】  監視カメラ６への電力は電源装置５からケーブル１２により供給される。監視カメラの固定は、図示しないが、この実施の形態では、照明装置本体１ａの支持部材８に固定することにより行なわれている。
【００３１】  筐体７は、ナイロン樹脂、ポリカーボネート樹脂、アクリル樹脂等の樹脂から形成され、上方は解放端とされ、下端に半径方向外方に延びた鍔部が形成され、下方中央部が開口し、この開口部が透過拡散板４で覆われ、この開口部をＬＥＤ素子３からの放射光が通過する。筐体７は、支持部材８に固定されている。
【００３２】  支持部材８は、アルミ等の熱伝導性に優れた材料から構成し、ＬＥＤ素子３が発生する熱を放熱フィン９に効率よく伝導するようにしている。また、支持部材８には、照明装置１を天井１０に固定する固定部材（図示せず）が固着されている。
【００３３】  放熱フィン９は、上下に延びる薄い板状に形成され、半径方向に放射状に延びて設けられている。これにより放熱面積が大きく取れ、大きな放熱量が得られている。
【００３４】  監視カメラ付き照明装置１は、天井１０の設置開口に筺体７の鍔部が接触するように嵌め込まれ、図示しない固定部材により天井部に保持される。
【００３５】  上記のように構成してなる監視カメラ付き照明装置は、広範囲の照明と監視が可能なので、照明と監視が必要な公共施設や商店や倉庫に、簡単に設置でき、少ない設置台数で、効果的に照明ができ、監視ができる。しかも、構造が単純で小型であるので、設置工事も簡単で、現状の照明装置と簡単に交換でき、確実に照明も監視映像も得ることができる。
【００３６】  なお、本発明は前記実施の形態に限られない。例えば、前記説明においては、電源装置と照明装置と監視カメラは離して設けてケーブルで接続しているが、電源装置を照明装置の支持部材に取り付けて結線により接続しても良い。
【符号の説明】
【００３７】  １      監視カメラ付き照明装置
１ａ    照明装置本体
２      基板
３      ＬＥＤ素子
３ａ    近赤外ＬＥＤ素子
４      透過拡散板
５      電源装置
６      監視カメラ
７      筺体
８      支持部材
９      放熱部材
１０      天井
【図１】
2015060832.tif 000003
【図２】
2015060832.tif 000004